【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
記録媒体を収容するための複数の収容部と、
前記複数の収容部に収容されている記録媒体をそれぞれ供給可能な複数の供給手段と、
前記供給手段に供給された前記記録媒体を第１の方向に搬送する搬送手段と、
前記搬送手段によって搬送される前記記録媒体に、前記第１の方向と交差する第２の方向に延在する記録可能領域を用いて画像を記録可能な記録ヘッドと、
前記供給手段によって供給される記録媒体として、前記記録ヘッドの記録状態を検査するための検査パターンを記録する指示に応じて、前記複数の収容部それぞれに収容されている記録媒体の種類に関する情報に基づき、予め記憶された記録媒体の種類に対応した優先度に従って前記複数の収容部それぞれに収容されている記録媒体の中から前記供給手段が前記搬送手段に記録媒体を供給するための記録媒体を選択する選択手段と、
前記記録ヘッドの前記記録可能領域のうち、前記選択手段により選択されて前記供給手段から供給される前記記録媒体の前記第２の方向のサイズに対応する部分を用いて、当該記録媒体に前記検査パターンを記録する記録制御手段と、
を備えることを特徴とする記録装置。
【請求項２】
記録媒体を収容するための複数の収容部と、
前記複数の収容部に収容されている記録媒体をそれぞれ供給可能な複数の供給手段と、
前記供給手段に供給された前記記録媒体を第１の方向に搬送する搬送手段と、
前記搬送手段によって搬送される前記記録媒体に、前記第１の方向と交差する第２の方向に延在する記録可能領域を用いて画像を記録可能な記録ヘッドと、
前記記録ヘッドの記録状態を検査するための検査パターンを記録する指示に応じて、前記複数の収容部それぞれに収容されている記録媒体の種類についての情報に基づいて、前記複数の収容部それぞれに収容されている記録媒体の中から前記供給手段が前記搬送手段に記録媒体を供給するための記録媒体を選択する選択手段と、
前記記録ヘッドの前記記録可能領域のうち、前記選択手段により選択されて前記供給手段から供給される前記記録媒体の前記第２の方向のサイズに対応する部分を用いて、当該記録媒体に前記検査パターンを記録する記録制御手段と、
を備えることを特徴とする記録装置。
【請求項３】
前記選択手段は、前記複数の収容部それぞれに収容されている記録媒体の中から、異なる種類の記録媒体の各々について予め定められた優先順位に従って前記検査パターンが記録される記録媒体を選択することを特徴とする請求項１または２に記載の記録装置。
【請求項４】
前記優先順位は、記録媒体のサイズおよび記録媒体の種別の少なくとも一方に応じて決定されていることを特徴とする請求項３に記載の記録装置。
【請求項５】
前記優先順位は、前記第２の方向におけるサイズが第１のサイズの記録媒体と、前記第１のサイズより小さい第２の記録媒体とでは、前記第１のサイズの記録媒体の方が順位が高くなるように決定されていることを特徴とする請求項４に記載の記録装置。
【請求項６】
前記優先順位は、発色性が第１の発色性の記録媒体と、前記第１の発色性より低い第２の発色性の記録媒体とでは、前記第１の発色性の記録媒体の方が、順位が高いように決定されていることを特徴とする請求項４に記載の記録装置。
【請求項７】
前記優先順位は、坪量が第１の坪量の記録媒体と、前記第１の坪量より小さい第２の坪量の記録媒体とでは、前記第１の坪量の記録媒体の方が、順位が高いように決定されていることを特徴とする請求項４に記載の記録装置。
【請求項８】
前記選択手段は、前記検査パターンが記録される記録媒体として、前記複数の収容部それぞれに収容されている記録媒体の中から選択可能なものを限定し、前記限定された記録媒体の中から、前記検査パターンが記録される記録媒体をユーザからの指定に応じて選択可能であることを特徴とする請求項１から７のいずれか１項に記載の記録装置。
【請求項９】
前記記録ヘッドによって前記検査パターンが記録された記録媒体の前記検査パターンを読取り可能な読取り手段をさらに備えることを特徴とする請求項１から８のいずれか１項に記載の記録装置。
【請求項１０】
前記読取り手段は、前記第２の方向に延在する読取り可能領域を有し、前記記録ヘッドより搬送方向の下流に配置され、前記記録ヘッドによって記録媒体に記録された前記検査パターンを前記読取り可能領域で読み取ることを特徴とする請求項９に記載の記録装置。
【請求項１１】
前記読取り手段の前記読取り可能領域は、前記記録ヘッドの前記記録可能領域よりも前記第２の方向における幅が小さく、
前記選択手段は、（ｉ）前記読取り手段が前記検査パターンの読取りに用いられる場合に、前記検査パターンが記録される記録媒体として、前記第２の方向における幅が前記読取り可能領域の幅以下の記録媒体を選択し、（ｉｉ）前記読取り手段が前記検査パターンの読取りに用いられない場合に、前記検査パターンが記録される記録媒体として、前記第２の方向における幅が前記読取り可能領域の幅よりも大きい記録媒体を選択することを特徴とする請求項９または１０に記載の記録装置。
【請求項１２】
前記記録媒体の種類についての情報は、前記搬送手段に供給される姿勢についての情報を含むことを特徴とする請求項１から１０のいずれか１項に記載の記録装置。
【請求項１３】
記録媒体を収容するための第１の収容部及び第２の収容部を含む複数の収容部と、
前記複数の収容部に収容されている記録媒体をそれぞれ供給可能な複数の供給手段と、
前記供給手段に供給された前記記録媒体を第１の方向に搬送する搬送手段と、
前記搬送手段によって搬送される前記記録媒体に、前記第１の方向と交差する第２の方向に延在する記録可能領域を用いて画像を記録可能な記録ヘッドと、
を有する記録装置であって、
前記第１の収容部に収容されている記録媒体の前記第２の方向のサイズが、前記第２の収容部に収容されている記録媒体の前記第２の方向のサイズより大きい場合には、前記記録ヘッドの記録状態を検査するための検査パターンを記録する指示に応じて、前記第１の収容部に収容されている記録媒体を前記供給手段から前記搬送手段に供給すること特徴とする記録装置。
【請求項１４】
前記収容部はＡ４サイズの記録媒体を収容可能であり、
前記搬送手段は、前記Ａ４サイズの記録媒体を搬送しているときの前記第２の方向に延びる辺が前記Ａ４サイズの記録媒体の短辺となるように前記Ａ４サイズの記録媒体を搬送することを特徴とする請求項１３に記載の記録装置。
【請求項１５】
前記第１の収容部にＡ４サイズの記録媒体が収容され、前記第２の収容部にＡ３サイズの記録媒体が収容されている場合には、前記記録ヘッドの記録状態を検査するための検査パターンを記録する指示に応じて、前記供給手段は前記Ａ３サイズの記録媒体を前記搬送手段に供給することを特徴とする請求項１４に記載の記録装置。
【請求項１６】
前記第１の収容部に、前記搬送手段に搬送されているときの前記第２の方向に延びる辺が記録媒体の短辺となるように前記記録媒体が収容され、前記第２の収容部に前記第１の収容部に収容されている記録媒体と同じサイズの記録媒体であって、前記搬送手段に搬送されているときの前記第２の方向に延びる辺が長辺となるように前記記録媒体が収容されている場合には、前記記録ヘッドの記録状態を検査するための検査パターンを記録する指示に応じて、前記供給手段は前記第２の収容部に収容されている前記記録媒体を前記搬送手段に供給することを特徴とする請求項１３から１５のいずれか１項に記載の記録装置。
【請求項１７】
前記収容部に収容された記録媒体の種類を検出するためのセンサをさらに備えることを特徴とする請求項１から１６のいずれか１項に記載の記録装置。
【請求項１８】
前記収容部に収容された記録媒体の種類に関する情報をユーザが入力するための入力部をさらに備えることを特徴とする請求項１から１７のいずれか１項に記載の記録装置。
【請求項１９】
複数の収容部のうち１つの前記収容部に収容された記録媒体を第１の方向に搬送し、前記第１の方向に搬送される記録媒体に対して前記第１の方向と交差する第２の方向に延在する記録ヘッドの記録可能領域によって画像を記録する記録方法であって、
前記複数の収容部それぞれに収容された記録媒体の中から、前記記録ヘッドによる記録の記録状態を検査するための検査パターンを記録する記録媒体を選択する選択工程と、
前記記録ヘッドの前記記録可能領域のうち、前記選択工程により選択されて前記第１の方向に搬送される前記記録媒体の前記第２の方向のサイズに対応する部分を用いて、当該記録媒体に前記検査パターンを記録する記録工程と、
を備えることを特徴とする記録方法。
【請求項２０】
前記選択工程は、前記複数の収容部それぞれに収容されている記録媒体の中から、前記検査パターンが記録される記録媒体を所定の優先順位にしたがって選択することを特徴とする請求項１９に記載の記録方法。
【請求項２１】
前記優先順位は、記録媒体のサイズおよび記録媒体の種別の少なくとも一方に応じて決定されていることを特徴とする請求項２０に記載の記録方法。
【請求項２２】
前記優先順位は、前記第２の方向におけるサイズが第１のサイズの記録媒体と、前記第１のサイズより小さい第２の記録媒体とでは、前記第１のサイズの記録媒体の方が順位が高いように決定されていることを特徴とする請求項２１に記載の記録方法。
【請求項２３】
第１の収容部及び第２の収容部を含む複数の収容部のうち１つの前記収容部に収容された記録媒体を第１の方向に搬送し、前記第１の方向に搬送される記録媒体に対して前記第１の方向と交差する第２の方向に延在する記録ヘッドの記録可能領域によって画像を記録する記録方法であって、
前記第１の収容部に収容されている記録媒体の前記第２の方向のサイズが、前記第２の収容部に収容されている記録媒体の前記第２の方向のサイズより大きい場合には、前記記録ヘッドの記録状態を検査するための検査パターンを記録する指示に応じて、前記第１の収容部に収容されている記録媒体を搬送し、搬送された記録媒体に前記検査パターンを記録することを特徴とする記録方法。
【請求項２４】
前記記録ヘッドによって前記検査パターンが記録された記録媒体の前記検査パターンを読み取る読み取り工程をさらに備えることを特徴とする請求項１９から２３のいずれか１項に記載の記録方法。
【請求項２５】
請求項１９から２４のいずれか１項に記載の記録方法をコンピュータに実行させるためのプログラム。
【手続補正２】
【補正対象書類名】明細書
【補正対象項目名】０００８
【補正方法】変更
【補正の内容】
【０００８】
本発明の記録装置は、記録媒体を収容するための複数の収容部と、前記複数の収容部に収容されている記録媒体をそれぞれ供給可能な複数の供給手段と、前記供給手段に供給された前記記録媒体を第１の方向に搬送する搬送手段と、前記搬送手段によって搬送される前記記録媒体に、前記第１の方向と交差する第２の方向に延在する記録可能領域を用いて画像を記録可能な記録ヘッドと、前記供給手段によって供給される記録媒体として、前記記録ヘッドの記録状態を検査するための検査パターンを記録する指示に応じて、前記複数の収容部それぞれに収容されている記録媒体の種類に関する情報に基づき、予め記憶された記録媒体の種類に対応した優先度に従って前記複数の収容部それぞれに収容されている記録媒体の中から前記供給手段が前記搬送手段に記録媒体を供給するための記録媒体を選択する選択手段と、前記記録ヘッドの前記記録可能領域のうち、前記選択手段により選択されて前記供給手段から供給される前記記録媒体の前記第２の方向のサイズに対応する部分を用いて、当該記録媒体に前記検査パターンを記録する記録制御手段と、を備えることを特徴とする。
【手続補正３】
【補正対象書類名】明細書
【補正対象項目名】００２３
【補正方法】変更
【補正の内容】
【００２３】
ＣＰＵ２１は、これらの記録媒体のセットを確認した後、それらの記録媒体の幅のうち、最も幅の広い記録媒体を検査パターンの記録対象として選択する。その選択方法としては、セットされた複数の記録媒体の幅を比較して、最も広い幅の記録媒体を選択する方法の他、検査パターンを記録可能な記録媒体のサイズを予め複数種限定しておき、その限定されたサイズの中から記録媒体を選択してもよい。その場合、その限定されたサイズの記録媒体に含まれ、かつセットが確認された複数の記録媒体の中から、最も広い幅の記録媒体を選択する。記録装置にセットされる記録媒体と関連付けた検査パターンを用いることにより、予め用意する検査パターンを少なくして、記録装置のＲＯＭ２２の容量を減らすことが可能となる。図２（ｃ）のテーブルは、検査パターンを記録可能な記録媒体のサイズとして、Ａ３、１１×１７（インチ）、ＬＴＲ（レター）、およびＡ４のサイズを限定し、それを大きいサイズの順に優先的に選択するためのサイズ優先テーブルである。それらの記録媒体の優先順位は、Ａ３サイズが第１位、１１×１７（インチ）のサイズ（２７９．４×４３１．８ｍｍ）が第２位、ＬＴＲ（レター）のサイズ（２１５．９×２７９．４ｍｍ）が第３位、Ａ４サイズが第４位である。第１のセット例において、このテーブルを用いた場合には、第２カセット１２にセットされたＡ３サイズの記録媒体Ｐ２が検査パターンの記録対象として選択される。
【手続補正４】
【補正対象書類名】明細書
【補正対象項目名】００３８
【補正方法】変更
【補正の内容】
【００３８】
ＣＰＵ２１は、ユーザが記録ヘッド５の検査を指示したときに、記録装置にセットされている記録媒体のサイズと種別を確認する。そして、各種記録条件の補正方法（「自動補正」、「手動補正」）に応じて、図４（ｂ）のテーブルから、使用可能な記録媒体のサイズを限定する。本例においては、「自動補正」の場合には４種類の記録媒体が限定され、「手動補正」の場合には５種類の記録媒体が限定される。次にＣＰＵ２１は、限定されたサイズの記録媒体の中から、図４（ｃ）の第１テーブルに設定された優先順位にしたがって、検査パターンを記録する記録媒体を決定してから、第２テーブルを用いて、検査パターンを記録する記録媒体の種別を決定する。すなわちＣＰＵ２１は、ユーザによって検査パターンの記録が指示されたときに、記録装置にセットされ、かつ、第２テーブルに候補として設定されている記録媒体の種別の中から、第１テーブルにおいて優先順位が高い記録媒体のサイズを決定する。その後、ＣＰＵ２１は、第２テーブルにおける優先順位にしたがって、検査パターンを記録する記録媒体の種類を決定する。同じサイズであって、異なる種別の記録媒体が存在する場合には、図４（ｃ）の第２テーブルに設定された優先順位にしたがって記録媒体を選択する。